(57)【要約】【課題】電子書籍等で表示される文章を読むための自然なユーザーインターフェイスを実現する。【解決手段】円柱、多角柱形状の筐体側面に概連続的に取り付けられている表示面に文字、図形等を表示し観察者から通常見ることが出来る表示面の範囲を決定するために装置に内蔵されている回転角度検出器を用いる装置である。表示面の書き換えは前記角度検出器の測定値に基づいて観察者（利用者）から見えないと判断された側で行い、しかも表示されている文字、図形等を読み進むにつれて行われる回転動作に伴う前記角度変化に応じて表示内容を書き換え、観察者から見て連続した表示が行なわれる。【選択図】図２
2008152184.tif 000002
【特許請求の範囲】
【請求項１】
片手で持てる大きさの概円柱形状あるいは概多角柱形状筐体の概側面全周に連続した１つもしくは分割した複数の電気的書き換え可能な表示面を有し、観察者からは同時に見ることの出来ない側の前記表示面の一部分を前記装置を側面方向に回転させることによって見ることが出来るようになる表示装置で、前記表示装置に内蔵される回転角度計測機能によって計測される角度に基づいて観察者が直視できないと判断された表示領域の表示内容を書き換える事を特徴とする表示装置。
【請求項２】
請求項１に記載の表示装置で回転角度を計測する手段として２軸もしくは３軸の加速度センサーを用い前記加速度センサーの出力値から重力方向を推定し、観察者が見ることの出来る表示範囲と見ることが出来ない表示範囲を判断することを特徴とする表示装置。
【請求項３】
請求項１に記載の表示装置で表示装置の回転角度を計測する手段として柱状体内部に自由に回転できる、回転中心に対して質量の偏りを有した回転体を設け、前記回転体と表示装置本体との角度を検出する手段を有し前記角度センサーの値に基づいて重力方向を検出し観察者が見ることの出来る表示範囲と見ることが出来ない表示範囲を判断することを特徴とする表示装置。
【請求項４】
請求項１に記載の表示装置において、装置本体を柱方向に２分割し双方の間を柱方向に平行な軸と軸受で結合し、一方を表示面のある装置本体回転部もう一方を装置保持部として用い、観察者から直視できる表示領域を判断するための回転角度計測手段を装置本体回転部と装置保持部の間に備える表示装置。
【請求項５】
請求項１から４に記載の表示装置において装置本体内部に文書情報を記憶するメモリーを有し前記メモリーの内容を表示する電子ブック。
【請求項６】
請求項１から５に記載の表示装置において文書情報を表示する際に観察者から見える側に表示される連続した文書の一部分に対して観察者から見えない表示部分の表示内容が前記文書の前後の流れに一致するよう回転角度、回転方向の検出値に基づいて表示内容の書き換え制御することを特徴とした装置。
【請求項７】
請求項１から５に記載の表示装置において観察者の正面側を向いていると判断された位置に表示された表示内容を選択的に強調するよう表示内容を変更し、表示面を含む本体に付加されている電気的スイッチの入力によって前記表示内容に関連した制御を行なうことを特徴とする装置。
【発明の詳細な説明】
【技術分野】
【０００１】
本発明は電子ブック、PDA、携帯電話、リモートコントローラーなど主に手に持って用いる電気的書き換えが可能な表示面を有する装置の形状と前記表示面の表示制御信号検出手段及び表示制御方式等のユーザーインターフェイスに関するものである。
【背景技術】
【０００２】
液晶、E-ink等の表示素子を用いた電子ブック、携帯電話、ＰＤＡなどを用いてあらゆる場所で文書を中心とした文字や図形情報を読む事が可能になっている。その一方で紙を用いた従来からの書籍は広く用いられている。前記情報装置に用いられる表示素子の解像度、コントラストなど表示品質も十分満足できるレベルに到達しそれらの機器に内蔵可能な記憶素子の容量の増大や価格の低下、あるいは通信手段におけるデーター量の増大によって膨大な文章等がどこでも即座に取り出せるようになっている。
【０００３】
表示素子の表示面形状に関しては反射型、自発光型に限らず平面だけでなく曲面状に出来るなど形状的な自由度も向上している。
【０００４】
携帯性を高めるために装置を小型化していくが、反面装置本体の表示面の面積が減少し一画面に表示できる情報量が減少する。その結果連続した文章を読む際にはページ送りもしくは画面に表示される内容をスクロールさせるなど表示されている画面を書き換えるのが一般的である。
【０００５】
なお、本発明より先に出願された技術文献として、片手で持つように工夫されしかも前後のページへ切り替えるためのスイッチの配置を表示面左右の側面にそれぞれ配置して操作性を向上させるなどの工夫があるがスイッチ操作と画面書き換えという従来手法の延長にある（例えば、特許文献１参照）。
【０００６】
また、表示面が表示装置の両面にあり観察者から見えない側を書き換えるという表示装置があるが裏返すという動作によってページ送り同様かそれ以上の不連続的な動作が強いられる（例えば、特許文献２参照）。
【０００７】
また、表示面積が小さいにも関わらす仮想的な大画面の一部分を切り取って表示し表示装置の動きにしたがってあたかも大画面をなぞるように表示を書き換えていく装置がある（例えば、特許文献３参照）。
【特許文献１】特開２００１−０７５９２５号広報
【特許文献２】特開２００５−３３８３９０号広報
【特許文献３】特開２００６−２０８５６０号広報
【発明の開示】
【発明が解決しようとする課題】
【０００８】
文書情報を電子的な手段で表示する装置において携帯性を高めるためるには装置を小さくすることが好ましいが、その結果表示面積も小さくなってしまい一画面に表示できる文字数が少なくなり、文章を連続的に表示する際のよみやすさという点では相反することになる。
【０００９】
限られた表示面積を持つ電子表示装置において行なわれるページ送りは書籍におけるページめくり動作とは異なり、スイッチ操作によって行なわれる結果、機能として表面的に同等とは言え紙や物体の表面に印刷された物を扱う自然な操作感とは異なる。
【００１０】
電子的な装置で大量な文書情報を蓄積あるいは通信機能によって手軽に持ち運べるようになったにもかかわらず画面サイズに制限のある小型表示機器ではスイッチ操作による頻繁なページ送りを行なうことなく自然な操作で読むことを可能にするということなどが課題である。
【課題を解決するための手段】
【００１１】
本発明は書き換え可能な表示素子を概円柱もしくは概多角柱の側面に概連続的に配置し装置を保持しながら指や手の操作で自然に回転させ表示面を順送りして見る構造になっており、表示面の表示内容の書き換えを観察者の視界に入らない側の表示面を選択的に書き換え、装置を回転させることにより文章や図形、写真などが途切れなく連続的な表示されるようにするものである。
【００１２】
本表示装置で表示できる内容は文字情報に限らないが、文字情報は日本語だけでなく異なった多くの文字種があり、しかも日本語や中国語など縦書き横書きの使い分けが行なわれる文字や英語のように横書きで左から右へ記述するものや横書きであっても右から左へと記述する文字種など様々な記述方式がある。
【００１３】
本発明の表示装置は観察者から見える表示面が縦書きの場合、柱状になっている表示装置の柱方向を概縦にして用い、横書きの日本語や英語などを表示する際には表示装置の柱方向を概横にして用いる。どちらの場合も本表示装置の表示面のうち利用者、観察者の視野と視野以外を判断する手段を有し表示面の書き換えを視野に入らないと判断された表示領域で選択的に行なう。装置内に有する２軸もしくは３軸の加速度センサーをそれぞれが直角になるように配置しそれぞれのセンサーの検出量に基づいて重力方向を決定することができる。
【発明の効果】
【００１４】
表示装置の表面に表示された文字，図形などがあたかも装置の表示面に固定的に書かれているように扱え、しかも文字などを読み進むために行なう装置を回転させる動きに従って連続的に読み進むことが出来る。その結果、電気的な表示装置で通常行なわれる書き換えが見かけ上行なわれない自然なユーザーインターフェイスが実現できる。
【００１５】
しかも、表示内容の連続性に対しての量的な制限は無くきわめて長い文章であっても装置に内蔵される記憶素子もしくは通信サーバの制限の範囲で途切れなく表示できる。また直感的な使い方であるにもかかわらず装置の回転で同じ文字画像が繰り返し出るのでなく、途切れの無い連続的な表示内容が現れるという意外性がある。
【００１６】
円柱、多角柱状であることで一行の表示長さを十分長くし柱断面の径を少なくした形状で携帯性を高めることが出来る。
【００１７】
本装置で文章等を読み進むために必要な回転動作は読む速度に対応して行なわれる。したがって文章を読んでいるという状況が利用者以外から見ることが出来、文章を読む早さや、読み進む状態が外部から観察できる。
【００１８】
本装置で文章等を読み進む際に指先で行なう回転動作が必要なため、長い文書を読むことで引き起こされがちな眠気の防止効果が期待できる。
【実施例１】
【００１９】
本発明実施形態の説明を図面を参照しおこなう。
図１に第１の実施形態を示す。表示パネルとしては電気泳動、電子粉粒体、ＥＬ、液晶等の表示画素を有した曲面表示パネル（１１）を円筒形にして表面から見えるように装着してある。柱形状の装置本体（１０）内部に柱方向に対して直交する面内に２個の加速度センサーを直交して取り付け重力によって発生する加速度による電圧に基づいて前記面内の重力方向が求まる。
【００２０】
本実施例は縦書き表示と横書き表示を切り替えて表示することが出来るようになっており、図２は実際に手に持って用いている縦書き表示時の観察者の視点から見た装置本体（１０）と観察者の手（４０）を表している。装置本体（１０）は左右方向にはほぼ垂直で、前後方向は上部が遠ざかる方向に傾斜して用いられる。この場合の正面方向は前記手段で計測された重力方向のベクトルの装置柱方向に垂直な面上の重力方向と反対側になる。利用者が文書を読み進むにつれて行なう回転動作によって正面を向いている表示面の行方向のアドレスが増加、戻る動作の場合には行方向のアドレスが減少することになる。
【００２１】
図５に具体的にメモリーに蓄えられている文書情報の行単位のアドレス（Ｆｎ）と表示面の行単位アドレスの関係を示す。図５に示すように表示装置本体の表示断面と行アドレス（３０）に示した行アドレスは０から７までの値になっており装置に内臓してあるメモリー内部のテキスト情報（３１）の行単位アドレスに対応して書き込まれる。本図に示されている正面方向（ＤＦｎ）（３２）を表示断面と行アドレス（３０）の２が向いている。図７には表示制御のフローチャートを示す。図７に示すように正面方向（ＤＦｎ）（３２）の変化毎に装置の回転方向が判断され、それにしたがって表示への書き込みが観察者から見えない側で行なわれ更に読み進められることで書き込まれた表示内容が連続性を持って現れることになる。
【００２２】
図３に第１の実施例で横書表示を行なった場合を示す。本実施例は第１の実施例に示した実施例の装置本体（１０）を水平にした場合である。ほぼ水平状態で用いるので装置本体（１０）に内蔵されている２軸の加速度センサーは重力方向を含む面内と概一致した状態となる。図６に具体的にメモリーに蓄えられている文書情報の行単位のアドレス（Ｆｎ）と表示面の行単位アドレスの関係を示す。観察者の正面方向（ＤＦｎ）（３３）は縦書きの場合とは異なり前記重力方向に対して反対側でなく凡そ１３５度の方向になる。本例の場合正面方向（ＤＦｎ）（３１）を表示断面と行アドレス（３０）の２が向いている。その他の動作制御は前記縦書きの例と同様である。
【００２３】
本実施例では表示文字を日本語の場合で説明したが、例えば縦書き表示で中国語は同様に表現できる。横書き表示を用いて英語その他多くの外国語表示に適応できる。更には右から左方向に読み進む言語も同様に扱うことが可能である。本実施例では加速度センサーを２軸使用の場合で説明を行なったが、３軸とすることで装置の姿勢の検出精度を向上させることが一層容易になる。
【実施例２】
【００２４】
図４に第２の実施例を示す。本実施例は装置本体（１２）に複数の平面表示パネル（１３）を用いて構成する。表示面が分割されているが隣り合ったパネル間の表示アドレスを連続して扱うことで実施例１と同様の構成で実現している。
【実施例３】
【００２５】
図８に第３の実施例を示す。本実施例は装置本体（１４）の本体内部に軸及び軸受け（１９）を設け、そこに本体に対して自由に回転できる質量の偏りを有した回転体（２０）と回転角度の検出用センサーとしてロータリーエンコーダー（１８）を用いている。質量の偏りによって常に重力方向を向く回転体の本体に対する角度の値を用いることで実施例１同様の制御を行い所望の動作が実現できる。
【実施例４】
【００２６】
図９に第４の実施例を示す。本実施例はが装置本体回転部（１５）と装置保持部（１６）を軸及び軸受け（１９）で接続した構造になっており、回転軸にロータリーエンコーダー（１８）が取り付けられ装置本体（１５）と装置保持部（１６）間の角度を検出する。本装置は手の平部分と親指、人差し指を除く指を用いて保持部分固定し親指と人差し指で装置本体を回転させて用いる。装置保持部（１６）に正面となる方向を決めておき、装置本体回転部（１５）との角度から正面方向が決定でき実施例１同様の制御を行い所望の動作が実現できる
【実施例５】
【００２７】
図１０に第５の実施例を示す。本実施例は正面に表示された表示内容に応じた制御信号を装置本体に入力するための一例を示す。図１０に示すように本例は複数の書籍名から目的の書籍を選ぶための動作を例として表示してある。装置本体（１７）に表示されている表示文字のうち正面側を向いている選択されている表示内容（２１）には表示文字を囲む枠が追加表示されている。観察者は前記表示内容が選択されたものであることが確認できたら装置本体に備わっているスイッチ（５０）を押すことによって選択されている表示内容に従った動作を装置に行なわせることが出来る。選択内容を変えるには装置を回転させ表示内容を次々と正面に現すことで実現できる。
【図面の簡単な説明】
【００２８】
【図１】本発明の第１の実施形態を示す模式図である。
【図２】本発明の第１の実施例で縦書き文字表示を行なっている模式図である。
【図３】本発明の第１の実施例で横書き文字表示を行なっている模式図である
【図４】本発明の第２の実施形態を示す模式図である。
【図５】本発明の第１の実施例で縦書き表示時における表示情報とメモリー情報の関係を示す説明図である。
【図６】本発明の第１の実施例で横書き表示時における表示情報とメモリー情報の関係を示す説明図である。
【図７】本発明の第１の実施例における表示情報制御の説明用フローチャートである。
【図８】本発明の第３の実施形態を示す模式図である。
【図９】本発明の第４の実施形態を示す模式図である。
【図１０】本発明における表示選択時の実施形態例の模式図である。
【符号の説明】
【００２９】
１０    装置本体                    １１    曲面表示パネル
１２    装置本体                    １３    平面表示パネル
１４    装置本体                    １５    装置本体回転部
１６    装置保持部                  １７    装置本体
１８    ロータリーエンコーダー      １９    軸及び軸受け
２０    質量の偏りを有した回転体    ２１    選択されている表示内容
３０    表示断面と行アドレス        ３１    メモリー内部のテキスト情報
３２    正面方向（ＤＦｎ）          ３３    正面方向（ＤＦｎ）
４０    観察者の手                  ４１    観察者の手
４２    観察者の手
５０    スイッチ
【図１】
2008152184.tif 000003
【図２】
2008152184.tif 000004
【図３】
2008152184.tif 000005
【図４】
2008152184.tif 000006
【図５】
2008152184.tif 000007
【図６】
2008152184.tif 000008
【図７】
2008152184.tif 000009
【図８】
2008152184.tif 000010
【図９】
2008152184.tif 000011
【図１０】
2008152184.tif 000012
【手続補正書】
【提出日】平成19年6月4日(2007.6.4)
【手続補正１】
【補正対象書類名】特許請求の範囲
【補正対象項目名】請求項１
【補正方法】変更
【補正の内容】
【請求項１】
片手で持てる大きさの概円柱形状あるいは概多角柱形状の表示装置で、装置を観察者が手で持った状態で観察者の正面から直接見ることの出来ない前期装置の側面を観察者が側面方向に回転させて見ることが出来るようになる表示装置であって、（ａ）概側面全周に連続した１つもしくは分割した複数の電気的書き換え可能な表示面を有し、（ｂ）装置内部に回転角度計測手段を有し、（ｃ）本装置と本装置を手で持っている観察者との位置関係と前記回転角度計測手段によって計測される角度に基づいて観察者が正面から直接見ることができないと推定した表示領域の表示内容を書き換える事を特徴とする表示装置。
【手続補正２】
【補正対象書類名】特許請求の範囲
【補正対象項目名】請求項２
【補正方法】変更
【補正の内容】
【請求項２】
請求項１に記載の表示装置において装置内部に有する回転角度計測手段として２軸もしくは３軸の加速度センサーを用いた表示装置であって、前記加速度センサーの出力値から重力方向を推定し、装置の柱方向を概ね立てて用いる場合には観察者側から見て柱方向の上側が下側に比べ観察者から遠ざかる方向に傾斜するとみなし柱方向と垂直な面内での前記重力方向は観察者と概反対側になるとみなし、装置の柱方向を概ね水平にして用いる場合には立てて用いた場合の上部側を観察者から見て左側になるように用い柱方向と垂直な面内の重力方向に対して前期上部側から見て観察者の方向を左回転方向に概１３５度程度であるとみなし、観察者が正面から直接見ることの出来る表示範囲と見ることが出来ない表示範囲を推定することを特徴とする表示装置。
【手続補正３】
【補正対象書類名】特許請求の範囲
【補正対象項目名】請求項３
【補正方法】変更
【補正の内容】
【請求項３】
請求項１に記載の表示装置において装置内部に有する回転角度計測手段として前記柱状体の柱方向と概平行な軸に取り付けられた自由に回転できる回転中心に対して質量の偏りを有した回転体を設け前記回転体と表示装置本体との角度を検出する手段を有し、前記角度センサーの値に基づいて重力方向を推定し、装置の柱方向を概ね立てて用いる場合には観察者側から見て柱方向の上側が下側に比べ観察者から遠ざかる方向に傾斜するとみなし重力方向を示す角度は観察者と概１８０度反対側になるとみなし、装置の柱方向を概ね水平にして用いる場合には立てて用いた場合の上部側を観察者から見て左側になるように用い柱方向と垂直な面内の重力方向に対して前期上部側から見て観察者の方向を左回転方向に概１３５度程度であるとみなし、観察者が正面から直接見ることの出来る表示範囲と見ることが出来ない表示範囲を推定することを特徴とする表示装置。
【手続補正書】
【提出日】平成20年2月5日(2008.2.5)
【手続補正１】
【補正対象書類名】特許請求の範囲
【補正対象項目名】請求項１
【補正方法】変更
【補正の内容】
【請求項１】
片手で持てる大きさの概円柱形状あるいは概多角柱形状の表示装置で、装置を観察者が手で持った状態で観察者の正面から直接見ることの出来ない前期装置の側面を観察者が側面方向に回転させて見ることが出来るようになる表示装置であって、（ａ）概側面全周に連続した１つもしくは分割した複数の電気的書き換え可能な表示面を有し、（ｂ）装置内部に回転角度計測手段を有し、（ｃ）本装置と本装置を手で持っている観察者との位置関係と前記回転角度計測手段によって計測される角度に基づいて観察者から見えない側面を推定する演算処理機能を有し、（ｄ）前記処理機能の結果で見えないと判断された側面にある表示領域の表示内容を選択的に書き換える機能を有する事を特徴とする表示装置。